(57)【要約】【課題】浴室の洗い場床パネルの製造を容易化し、かつスタック性を向上する。【解決手段】浴室１の洗い場３に洗い場床パネル１０を設ける。浴槽２の底部に浴槽付属部材として浴槽受けパン２０を設ける。洗い場床パネル１０における浴槽側端部には凸状又は凹状の第１嵌合部１５を形成する。浴槽受けパン２０に洗い場に面する土手２２を一体に設ける。土手２２の底部に凹状又は凸状の第２嵌合部２５を形成する。第２嵌合部２５を第１嵌合部１５に上から被せるように嵌合させる。【選択図】図５
2019039134.tif 000002
【特許請求の範囲】
【請求項１】
浴室の洗い場に設けられる洗い場床パネルと、
浴槽の底部又は洗い場側面に設けられる浴槽付属部材と、
を備え、前記洗い場床パネルにおける浴槽側端部には凸状又は凹状の第１嵌合部が形成され、
前記浴槽付属部材には、前記洗い場に面する土手が一体に設けられ、前記土手の底部に凹状又は凸状の第２嵌合部が形成され、前記第２嵌合部が、前記第１嵌合部に上から被さるように嵌合されていることを特徴とする浴室床構造。
【請求項２】
前記第１嵌合部の上端が、前記洗い場床パネルにおける前記第１嵌合部を除く部分の床天端と同等の高さであるか、又は前記床天端より低いことを特徴とする請求項１に記載の浴室床構造。
【請求項３】
前記洗い場床パネルが、発泡樹脂からなるパネル本体と、前記パネル本体の底部に敷設された金属板からなる下パネル部材と、前記パネル本体の上面に被さる金属板からなる上パネル部材と、前記上パネル部材の上面に被さる表層シートとを備えていることを特徴とする請求項１又は２に記載の浴室床構造。
【請求項４】
前記洗い場床パネルの上面には防水性の表層シートが設けられ、前記表層シートの浴槽側シート部が、前記土手の洗い場側を向く壁面に被さっていることを特徴とする請求項１〜３の何れか１項に記載の浴室床構造。
【請求項５】
前記浴槽側シート部が、前記土手の上端近く又は前記土手の上端まで被さっていることを特徴とする請求項４に記載の浴室床構造。
【請求項６】
浴室の洗い場に設けられ、かつ浴槽の底部又は洗い場側面の浴槽付属部材と接続される洗い場床パネルであって、
浴槽側端部に形成された凸状又は凹状の第１嵌合部を有し、前記第１嵌合部が、浴槽付属部材に一体に設けられた土手の底部の凹状又は凸状の第２嵌合部と嵌合されることを特徴とする洗い場床パネル。
【発明の詳細な説明】
【技術分野】
【０００１】
本発明は、浴室の床構造及び洗い場床パネルに関する。
【背景技術】
【０００２】
一般に、洗い場床パネルにおける浴槽側端部には、土手（立上り部）が一体形成されている。土手は、洗い場床パネルにおける土手以外の部分の最も高所である床天端よりも上へ突出されている。土手によって、洗い場での使用水が浴槽受けパン側へ流入するのを遮ることができる。
【先行技術文献】
【特許文献】
【０００３】
【特許文献１】特開２０１５−１８３４１４号公報
【特許文献２】特開２０１４−１２９６４号公報
【発明の概要】
【発明が解決しようとする課題】
【０００４】
前記従来の洗い場床パネルは、土手が床天端よりも上へ突出して設けられているために、洗い場床パネルの製造工程において土手が邪魔になることがあった。また、製造後の保管や運搬の際、土手があるために積み重ねにくく、スタック性が低かった。
本発明は、かかる事情に鑑み、洗い場床パネルの製造が容易で、かつスタック性を向上できる浴室床構造を提供することを目的とする。
【課題を解決するための手段】
【０００５】
前記課題を解決するために、本発明に係る浴室床構造は、浴室の洗い場に設けられる洗い場床パネルと、
浴槽の底部又は洗い場側面に設けられる浴槽付属部材と、
を備え、前記洗い場床パネルにおける浴槽側端部には凸状又は凹状の第１嵌合部が形成され、
前記浴槽付属部材には、前記洗い場に面する土手が一体に設けられ、前記土手の底部に凹状又は凸状の第２嵌合部が形成され、前記第２嵌合部が、前記第１嵌合部に上から被さるように嵌合されていることを特徴とする。
【０００６】
当該浴室床構造によれば、土手が浴槽付属部材に設けられている。洗い場床パネルには土手を設ける必要が無い。したがって、洗い場床パネルを製造工程において土手が邪魔になることが無く、製造を容易化できる。また、製造後の保管、運搬時におけるスタック性を向上できる。
【０００７】
前記第１嵌合部の上端が、前記洗い場床パネルにおける前記第１嵌合部を除く部分の床天端と同等の高さであるか、又は前記床天端より低いことが好ましい。
これによって、洗い場床パネルのスタック性を一層向上できる。
【０００８】
前記洗い場床パネルが、発泡樹脂からなるパネル本体と、前記パネル本体の底部に敷設された金属板からなる下パネル部材と、前記パネル本体の上面に被さる金属板からなる上パネル部材と、前記上パネル部材の上面に被さる表層シートとを備えていることが好ましい。
洗い場床パネルには土手が無いために、パネル本体に土手を設ける必要が無い。したがって、例えば下パネル部材とパネル本体と上パネル部材を積層して熱硬化性接着剤によって貼り合わせる場合、熱プレス機等によって容易に挟み込んで加熱して接合でき、製造を容易化することができる。
【０００９】
前記洗い場床パネルの上面には防水性の表層シートが設けられ、前記表層シートの浴槽側シート部が、前記土手の洗い場側を向く壁面に被さっていることが好ましい。
表層シートの浴槽側シート部が、浴槽受けパンの土手へ延び出ることで、洗い場床パネルと浴槽受けパンの土手との境を覆う。これによって、前記境における防水性を確保できる。また、浴室利用者が、前記境に直接触れないようにすることができる。前記境にシール材を設けた場合、該シール材が、ちぎれたり、剥がれたりするのを防止できる。
【００１０】
前記浴槽側シート部が、前記土手の上端近く又は前記土手の上端まで被さっていることが好ましい。
これによって、浴槽側シート部の端部を浴槽のエプロン等で隠すことができる。したがって、浴室利用者が、前記浴槽側シート部の端部に触れられないようにでき、前記浴槽側シート部の端部がめくれたり、ちぎれたり、剥がれたりするのを防止できる。
【００１１】
また、本発明は、浴室の洗い場に設けられ、かつ浴槽の底部又は洗い場側面の浴槽付属部材と接続される洗い場床パネルであって、
浴槽側端部に形成された凸状又は凹状の第１嵌合部を有し、前記第１嵌合部が、浴槽付属部材に一体に設けられた土手の底部の凹状又は凸状の第２嵌合部と嵌合されることを特徴とする。
【発明の効果】
【００１２】
本発明によれば、洗い場床パネルの製造を容易化でき、かつスタック性を向上できる。
【図面の簡単な説明】
【００１３】
【図１】図１は、本発明の第１実施形態に係る浴室の側面断面図である。
【図２】図２は、前記浴室の洗い場床パネルを、表層シートを省略して示す平面図である。
【図３】図３は、前記洗い場床パネルの分解斜視図である。
【図４】図４は、図２のＩＶ−ＩＶ線に沿う、前記洗い場床パネルの断面図である。
【図５】図５は、図１における洗い場床パネルと浴槽受けパンとの接続部を拡大して示す断面図である。
【図６】図６は、前記洗い場床パネルの製造工程を示す側面断面図である。
【発明を実施するための形態】
【００１４】
以下、本発明の一実施形態を図面にしたがって説明する。
図１に示すように、浴室１は、浴槽２と、洗い場３を備えている。浴槽２の底部には、浴槽受けパン２０（浴槽付属部材）が設けられている。浴槽受けパン２０上に浴槽２が支持されている。
【００１５】
浴槽２の側方（図１において右側）に洗い場３が配されている。洗い場３の底部には、洗い場床パネル１０が設けられている。洗い場床パネル１０が、浴槽受けパン２０と接続されている。洗い場床パネル１０及び浴槽受けパン２０によって、浴室床構造１ｂが構成されている。
【００１６】
図２に示すように、洗い場床パネル１０は、平面視で長方形状（四角形状）になっている。洗い場床パネル１０における浴槽２に近い部分には、排水口部材１６によって排水口１０ｃが形成されている。図３及び図４に示すように、洗い場床パネル１０の上面は、排水口１０ｃへ向かって下がり勾配が付けられている。
【００１７】
図２に示すように、洗い場床パネル１０の浴槽側を除く三方の周端部１０ｄ，１０ｆには、洗い場床パネル１０における最も高所である床天端１０ｈが設けられている。周端部１０ｄ，１０ｆにおける床天端１０ｈよりも外側に溝状の壁載せ部１０ｇが形成されている。図１に示すように、壁載せ部１０ｇに硬質樹脂製の壁載せ部材（図示省略）を介して壁パネル４の下端部が載せられる。
【００１８】
図３及び図４に示すように、洗い場床パネル１０は、パネル本体１１と、下パネル部材１２と、上パネル部材１３と、表層シート１４とを備えている。
パネル本体１１は、ＥＰＳ（発泡ポリスチレン）等の発泡樹脂によって構成され、断熱性を有している。
なお、パネル本体１１の材質は、ＥＰＳに限られず、発泡ポリエチレン、発泡ポリプロピレン等であってもよい。
【００１９】
パネル本体１１の底部に下パネル部材１２が敷設されている。下パネル部材１２は、ステンレス、鉄、鋼等の金属板にて構成されている。下パネル部材１２が、溶融亜鉛メッキ鋼板にて構成されていてもよい。
下パネル部材１２の４つの端部には、それぞれ側板部１２ｄ，１２ｅ，１２ｆが一体に設けられている。これら側板部１２ｄ，１２ｅ，１２ｆが、パネル本体１１の４つの端面にそれぞれ被さっている。
【００２０】
パネル本体１１と下パネル部材１２とは、接着剤（図示省略）によって接着されている。接着剤としては、例えば熱硬化性の２液混合ウレタン系接着剤が用いられているが、これに限られず、エポキシ系接着剤、シリコン系接着剤などであってもよい。接着剤は、パネル本体１１と下パネル部材１２との間の全面に塗布することが好ましいが、所要の接合性を得られるのであれば部分的に塗布してもよい。
【００２１】
パネル本体１１の上面に上パネル部材１３が被さっている。上パネル部材１３は、ステンレス、鉄、鋼等の金属板、もしくはＦＲＰ（繊維強化プラスチック）等の樹脂板によって構成されている。上パネル部材１３が、溶融亜鉛メッキ鋼板にて構成されていてもよい。上パネル部材１３が、下パネル部材１２とは異なる材質であってもよい。
図示は省略するが、パネル本体１１と上パネル部材１３とは、接着剤や粘着剤（アクリル系、ゴム系など）によって接着されている。接着剤の種類及び塗布範囲は前記と同様である。
【００２２】
上パネル部材１３の上面に表層シート１４が被さっている。表層シート１４によって、洗い場床パネル１０の上面（表面層）が構成されている。表層シート１４は、比較的軟質の樹脂やシリコンラバー等によって構成されている。表層シート１４は、防水性を有している。更に、表層シート１４によって、洗い場床パネル１０の温熱感性及びクッション性が確保されている。
表層シート１４と上パネル部材１３とは、接着剤（図示省略）によって接着されている。接着剤の種類及び塗布範囲は前記と同様である。
【００２３】
図５に示すように、洗い場床パネル１０における浴槽側端部には、第１嵌合部１５が形成されている。第１嵌合部１５は、上へ突出する凸部１５ａと、下へ凹んだ凹部１５ｂを含む。凸部１５ａひいては第１嵌合部１５の上端１５ｈは、床天端１０ｈと同等の高さになっている。好ましくは、上端１５ｈは、床天端１０ｈと面一になっている。
下パネル部材１２の浴槽側の側板部１２ｅの上端部には、上板片部１２ｈが設けられている。上板片部１２ｈが、第１嵌合部１５の上端１５ｈに被さっている。
【００２４】
図５に示すように、浴槽受けパン２０における洗い場側端部には、土手２２（立上り部）が一体に設けられている。土手２２の上端２２ｈは、洗い場床パネル１０の床天端１０ｈ及び第１嵌合部１５の上端１５ｈよりも高所に位置されている。
【００２５】
土手２２の底部には第２嵌合部２５が形成されている。第２嵌合部２５は、下へ突出する凸部２５ａと、上へ凹んだ凹部２５ｂを有している。
第２嵌合部２５が、第１嵌合部１５に上から被さるように嵌合されている。凸部２５ａが、凹部１５ｂに嵌り込み、凹部２５ｂに凸部１５ａが嵌り込んでいる。
【００２６】
表層シート１４の浴槽側シート部１４ｅが、浴槽受けパン２０の土手２２へ延び出ることで、洗い場床パネル１０と浴槽受けパン２０との境１ｅに被さっている。更に、浴槽側シート部１４ｅは、土手２２の洗い場側を向く壁面２２ｅに被さっている。好ましくは、浴槽側シート部１４ｅは、土手２２の上端２２ｈ近く又は上端２２ｈまで被さっている。
【００２７】
浴槽２における洗い場３を向く側部には、エプロン２ｅが設けられている。エプロン２ｅの下端部が、土手壁面２２ｅの上側まで延び、浴槽側シート部１４ｅの端部に被さっている。
【００２８】
浴室床構造１ｂは、次のようにして構築される。
洗い場床パネル１０の構成部材１１〜１４をそれぞれ作製する。パネル本体１１は、発泡成形によって作製できる。上下のパネル部材１２，１３は、板金加工によって作製できる。
下パネル部材１２の上にパネル本体１１を重ね、パネル本体１１の上に上パネル部材１３を重ねる。下パネル部材１２とパネル本体１１の少なくとも一方の対向面、及びパネル本体１１と上パネル部材１３の少なくとも一方の対向面には、熱硬化性の２液混合ウレタン系接着剤からなる接着剤を塗布しておく。
【００２９】
図６に示すように、これら積層体１１〜１３を、例えば真空圧空熱プレス機３０にセットする。真空圧空熱プレス機３０の上下のプレス型３１，３２は、それぞれ内蔵ヒータ（図示省略）によって加熱されている。これによって、積層体１１〜１３が加熱される。ひいては、積層体１１〜１３どうし間の熱硬化性２液混合ウレタン系接着剤が加熱される。加熱温度は、前記接着剤が硬化可能な温度であり、例えば９０℃程度である。
これと同時に、上プレス型３１から圧縮空気（図６の網掛け矢印）を下方へ吹き出す。かつ、上プレス型３１の下面のシリコンラバー製押さえシート３３と、下プレス型３２と、側枠３４との間の空気（図６の白抜き矢印）を、下プレス型３２の吸引手段（図示省略）によって真空吸引する。このため、押さえシート３３が、積層体１１〜１３の三方下り勾配（図３）等の上面形状に合わせて変形されながら、積層体１１〜１３の上面に強く押し当てられる。
【００３０】
これによって、パネル本体１１と下パネル部材１２とが強く押し当てられて密着されるとともに、これら部材１１，１２間の接着剤が硬化する。また、パネル本体１１と上パネル部材１３とが強く押し当てられて密着されるとともに、これら部材１１，１３間の接着剤が硬化する。
この結果、パネル本体１１と下パネル部材１２と上パネル部材１３を正しく貼り合わせることができる。
パネル本体１１には土手が無く、第１嵌合部１５が床天端１０と同等の高さであるため、上プレス型３１に土手を逃がすための凹部を形成する必要が無い。或いは、上下のプレス型３１，３２をなるべく接近させて、押さえシート３３を下プレス型３２になるべく接近させたうえで、圧縮空気及び真空吸引によって押さえシート３３を変形させることができる。したがって、パネル本体１１と下パネル部材１２と上パネル部材１３を一層適確に貼り合わせることができ、接着作業性を向上できる。
【００３１】
その後、パネル本体１１に排水口部材１６を装着し、上パネル部材１３の上面に表層シート１４を貼り付ける。
【００３２】
複数の洗い場床パネル１０を製造後、保管したり運搬したりする際、土手が無く、しかも第１嵌合部１５が床天端１０ｈと同等の高さであるために、積み重ねやすく、スタック性を向上できる。多数積み重ねても、積み重ね高さはあまり高くならない。
なお、仕掛かり状態で、例えばパネル本体１１だけを複数積み重ねる場合や、表層シート１４を貼り合わせる前のパネル本体１１と下パネル部材１２と上パネル部材１３の積層体を複数積み重ねる場合も、同様に、積み重ねやすくスタック性を向上できる。
【００３３】
浴室１の施工現場では、洗い場３の底部に洗い場床パネル１０を設置し、浴槽２の設置場所の底部に浴槽受けパン２０を設置する。このとき、浴槽受けパン２０の第２嵌合部２５を上から第１嵌合部１５に上から被せて嵌合させる。これによって、第１嵌合部１５の上方に土手２２が配置される。
【００３４】
続いて、表層シート１４の浴槽側シート部１４ｅを、洗い場床パネル１０と浴槽受けパン２０との境１ｅを越えて、土手２２の洗い場側壁面２２ｅに被せて貼り合わせる。
境１ｅには表層シート１４が被さるために、当該境１ｅにおける防水性を確保できる。境１ｅにコーキングなどのシール材を詰める必要が無い。
もちろん、境１ｅにシール材を詰めてもよい。その場合でも、表層シート１４が被さることによって、浴室利用者が境１ｅのシール材に触れられないようにでき、該シール材が、ちぎれたり、剥がれたりするのを防止できる。
【００３５】
浴槽受けパン２０上には浴槽２を設置する。
浴槽２の洗い場側面にはエプロン２ｅを設ける。エプロン２ｅの下端部を土手２２の壁面２２ｅ上の浴槽側シート部１４ｅに被せる。これによって、浴槽側シート部１４ｅの端部をエプロン２ｅで隠すことができる。したがって、浴室利用者が、浴槽側シート部１４ｅの端部に触れられないようにでき、浴槽側シート部１ｅの端部がめくれたり、ちぎれたり、剥がれたりするのを防止できる。
【００３６】
本発明は、前記実施形態に限定されるものではなく、その趣旨に反しない限りにおいて種々の改変をなすことができる。
例えば、第１嵌合部１５の上端１５ｈは、床天端１０ｈと同等の高さかそれ以下であればよい。洗い場床パネル１０の製造に支障が無い範囲内であれば、第１嵌合部１５の上端１５ｈが、床天端１０ｈより上へ例えば数ｍｍ程度突出されていてもよい。
第１嵌合部１５の上端１５ｈが、床天端１０ｈより低所に位置していてもよい。
土手が、浴槽２のエプロン２ｅ（浴槽付属部材）の下端部に設けられていてもよい。
洗い場床パネル１０が、繊維強化プラスチック（ＦＲＰ）によって構成されていてもよい。
【産業上の利用可能性】
【００３７】
本発明は、例えば浴室の床構造に適用可能である。
【符号の説明】
【００３８】
１        浴室
１ｂ      浴室床構造
１ｅ      境
２        浴槽
２ｅ      エプロン（浴槽付属部材）
３        洗い場
１０      洗い場床パネル
１０ｈ    床天端
１１      パネル本体
１２      下パネル部材
１３      上パネル部材
１４      表層シート
１４ｅ    浴槽側シート部
１５      第１嵌合部
１５ａ    凸部
１５ｂ    凹部
１５ｈ    上端
２０      浴槽受けパン（浴槽付属部材）
２２      土手
２２ｈ    上端
２２ｅ    洗い場側壁面
２５      第２嵌合部
２５ａ    凸部
２５ｂ    凹部
【図１】
2019039134.tif 000003
【図２】
2019039134.tif 000004
【図３】
2019039134.tif 000005
【図４】
2019039134.tif 000006
【図５】
2019039134.tif 000007
【図６】
2019039134.tif 000008